(57)【要約】【課題】  特殊工具を用いることなく通常市販されている工具を使用して、ボルトの盗難防止性を確保したセキュリティ・ボルト装置を実現する。【解決手段】  セキュリティ・ボルト装置１００は、搬送車両の荷台４０に設けられた密閉室のベース部３０を荷台に固定する。このボルト装置は、大径ねじ部１７２と小径ねじ部１７４を有し大径ねじ部と小径ねじ部のねじ巻き方向が互いに逆方向であるボルト１７０と、ボルトに螺合する小径の第１のナット１１０および大径の第２のナット１５０と、第２のナットの外周形状とほぼ同一形状の孔が形成され第２のナットを収容可能な回転防止金具１４０と、回転防止金具の第２のナットとボルト専用の特殊台座１２０とを備えており、第２のナットとボルト頭間に密閉室と荷台とを挟んで締結する。【選択図】  図２
2014149063.tif 000002
【特許請求の範囲】
【請求項１】
大径ねじ部と小径ねじ部を有し前記大径ねじ部と小径ねじ部のねじ巻き方向が互いに逆方向であるボルトと、前記ボルトに螺合する小径の第１のナットおよび大径の第２のナットと、前記第２のナットの外周形状とほぼ同一形状の孔が形成され前記第２のナットを収容可能な回転防止金具と、前記回転防止金具の端面に接して配置され前記ボルトが貫通する特殊台座とを備え、前記第２のナットとボルト頭間に被締結物を挟むようにしたことを特徴とするセキュリティ・ボルト装置。
【請求項２】
前記ボルト頭はＪＩＳ規格またはそれに相当する各国規格の六角ボルトまたは六角穴付きボルトの形状であり、前記ボルト頭を被締結物の外面側に、その他の部材を被締結物の内面側に配置したことを特徴とする請求項１に記載のセキュリティ・ボルト装置。
【請求項３】
搬送車両の荷台に設けられた密閉室を前記荷台に固定するセキュリティ・ボルト装置であって、大径ねじ部と小径ねじ部を有し前記大径ねじ部と小径ねじ部のねじ巻き方向が互いに逆方向であるボルトと、前記ボルトに螺合する小径の第１のナットおよび大径の第２のナットと、前記第２のナットの外周形状とほぼ同一形状の孔が形成され前記第２のナットを収容可能な回転防止金具と、前記回転防止金具の端面に接して配置され前記ボルトが貫通する特殊台座とを備え、前記第２のナットとボルト頭間に前記密閉室と前記荷台とを挟んで前記密閉室を前記荷台に締結したことを特徴とするセキュリティ・ボルト装置。
【請求項４】
前記ボルト頭はＪＩＳ規格またはそれに相当する各国規格の六角ボルトまたは六角穴付きボルトの形状であり、前記ボルト頭を前記荷台の外側に、その他の部材を前記密閉室の内側に配置したことを特徴とする請求項３に記載のセキュリティ・ボルト装置。
【請求項５】
前記密閉室は鋼板の被覆部材で構成されており、前記密閉室を前記荷台に締結した後は、前記密閉室に入ることなく前記ボルト頭を左右いずれの方向に回動しても前記密閉室と前記荷台の締結力が増すことを特徴とする請求項４に記載のセキュリティ・ボルト装置。
【発明の詳細な説明】
【技術分野】
【０００１】
本発明は、物品を固定するボルトに係り、特に物品の盗難を防止する際に好適なセキュリティ・ボルト装置に関する。
【背景技術】
【０００２】
従来の盗難防止用のボルトの例が、特許文献１ないし３に記載されている。特許文献１では、六角ボルトや六角ナット等の六角柱状の締結具を用いる場合に適用される盗難防止用ボルトキャップが記載されている。この公報に記載のボルトキャップは、ねじ締めされた六角柱状の締結具を、スパナやレンチ等の一般的な回動工具で取り外すことを不能にするものであり、六角ボルトの頭部またはねじ締めされた六角ナット等の周囲を覆うように、円筒状のインナーキャップが設けられている。
【０００３】
そして、インナーキャップの周囲を覆うとともに、インナーキャップに対して分離不能かつ回動自在に円筒状のアウターキャップが設けられている。さらに、インナーキャップの内周であってインナーキャップの引抜方向かつ内向に、複数の爪状の抜脱防止片が設けられており、この抜脱防止片はインナーキャップの円筒中心軸に対して回転対称状であって且つ等間隔に八個形成されている。
【０００４】
従来の盗難防止用のボルトの他の例が、特許文献２に記載されている。この公報では、自動販売機本体を据付け場所からそっくり盗み出す手口に対して高い防盗性が確保できるように、据付け固定装置の構造を改良している。すなわち、自動販売機の基台の四隅に支脚を配し、四脚とその内側に並置して据付け基礎にアンカーボルトを植えつけ、アンカーボルトとの間に固定金具を架け渡し、アンカーボルトのナットを基台に開口した穴を通して機内側から工具を使って締結するようにしている。そして、ナットを包囲するようにアンカーボルトにカップ状のナットカバーを嵌挿し、このナットカバーをナットで共締めしている。これにより、ナットカバーが邪魔をして側方からナットを直接回すことかできなくなり、簡単な部品（ナットカバー）を追加するだけで、据付け場所から自動販売機本体をそのまま盗み出すような盗難手口に対して高い防盗性を確保している。
【０００５】
従来の盗難防止用装置のさらに他の例が、特許文献３に記載されている。この公報に記載の盗難防止機能を付与するボルトロック装置では、特殊形状とされていないボルトを使用するために、ボルトロック装置は、ボルト軸部の先端側からボルトに被せられるカバー部材と、ボルト頭部と被締結部材との間に介在させられるワッシャーと、ボルトを回動させる専用回動具とを備えている。カバー部材は、ボルト頭部を周方向から覆う円筒部およびボルト軸部に挿通される貫通孔を有する底壁からなる。ワッシャーは、その外径がカバー部材の底壁の貫通孔の径よりも小さく、その厚みがカバー部材の底壁の厚みよりも大きくなっている。専用回動具は、ボルト頭部外周に嵌め合わせ可能な内周面およびカバー部材の円筒部の内周に嵌め合わせ可能な外周面を有する係合部を先端に有している。
【先行技術文献】
【特許文献】
【０００６】
【特許文献１】特開２００８−３０９２３５号公報
【特許文献２】特開２００３−１５１０２２号公報
【特許文献３】実用新案登録第３１２３９７７号公報
【発明の概要】
【発明が解決しようとする課題】
【０００７】
上記特許文献１に記載のものは、ボルトの頭部を覆うインナーキャップがこのボルト頭部の側面に係止する複数の爪を有しており、アウターキャップがインナーキャップを覆っているので、通常の工具ではボルトを緩めることができない、という利点を有している。しかしながら、ボルトの取り外しには特殊工具を必要とし、何らかの理由でボルトを取り外したいという緊急の要求には応えることが困難である。
【０００８】
また、特許文献２に記載の固定装置は自販機の据付部に用いられるもので、据付ボルトに係止するナットを覆うように構成された凹状のナットカバーをナットとともにボックスレンチで締めるようにしたことで、通常のスパナではナットを取り外せないようにしている。しかしこの構成では、ボックスレンチを使用すればナットの取り外しが可能であり、構成は簡単であるがセキュリティの点で十分ではない。
【０００９】
さらに、特許文献３に記載のボルトロック装置では、ボルトの頭部を周方向から覆う凹状のカバー部材をボルトとともに締め付けるようにし、このカバー部材とボルト頭部間に嵌合する特殊形状のボックススパナを用いてボルト締結し、セキュリティを確保している。この公報に記載のボルトロック装置は、ボルトの取り付けおよび取り外しに特殊形状のスパナが必要であること、および密閉室の外部から盗難等の目的でボルトロック装置へアクセスするのを防止することについての考慮がないこと、等の不具合がある。
【００１０】
本発明は上記従来技術の不具合に鑑みなされたものであり、その目的は、トラック等に搭載される物品や倉庫等に保管される物品の盗難防止を図ることにある。本発明の他の目的は、上記物品をトラックや倉庫等に固定する物品締結用のセキュリティ・ボルト装置の盗難防止能力を高めることにある。
【課題を解決するための手段】
【００１１】
上記目的を達成する本発明の特徴は、セキュリティ・ボルト装置が、大径ねじ部と小径ねじ部を有し前記大径ねじ部と小径ねじ部のねじ巻き方向が互いに逆方向であるボルトと、前記ボルトに螺合する小径の第１のナットおよび大径の第２のナットと、前記第２のナットの外周形状とほぼ同一形状の孔が形成され前記第２のナットを収容可能な回転防止金具と、前記回転防止金具の前記第２のナットの端面に接して配置され前記ボルトが貫通する特殊台座とを備え、前記第２のナットとボルト頭間に被締結物を挟むようにしたことにある。
【００１２】
そしてこの特徴において、前記ボルト頭はＪＩＳ規格の六角ボルトまたは六角穴付きボルトの形状であり、前記ボルト頭を被締結物の外面側に、その他の部材を被締結物の内面側に配置するのがよい。
【００１３】
上記目的を達成する本発明の他の特徴は、搬送車両の荷台に設けられた密閉室を前記荷台に固定するセキュリティ・ボルト装置であって、大径ねじ部と小径ねじ部を有し前記大径ねじ部と小径ねじ部のねじ巻き方向が互いに逆方向であるボルトと、前記ボルトに螺合する小径の第１のナットおよび大径の第２のナットと、前記第２のナットの外周形状とほぼ同一形状の孔が形成され前記第２のナットを収容可能な回転防止金具と、前記回転防止金具の前記第２のナットの端面に接して配置され前記ボルトが貫通する特殊台座とを備え、前記第２のナットとボルト頭間に前記密閉室と前記荷台とを挟んで前記密閉室を前記荷台に締結したことにある。
【００１４】
そしてこの特徴において、前記ボルト頭はＪＩＳ規格の六角ボルトまたは六角穴付きボルトの形状であり、前記ボルト頭を前記荷台の外側に、その他の部材を前記密閉室の内側に配置するのがよく、前記密閉室は鋼板の被覆部材で構成されており、前記密閉室を前記荷台に締結した後は、前記密閉室に入ることなく前記ボルト頭を左右いずれの方向に回動しても前記密閉室と前記荷台の締結力が増すことが好ましい。
【発明の効果】
【００１５】
本発明によれば、物品をトラックや倉庫等に固定する物品締結用のセキュリティ・ボルト装置において、外部にはボルト頭だけを露出させ、しかもこのボルト頭を左右いずれの方向に回転させても、セキュリティ・ボルト装置の締結力が強まるようにしたので、盗難防止能力が向上する。これにより、トラック等に搭載される物品や倉庫等に保管される物品の盗難防止能力が向上する。
【図面の簡単な説明】
【００１６】
【図１】本発明に係るセキュリティ・ボルト装置を用いて物品を車載した例の斜視図及び断面図である。
【図２】図１に示したセキュリティ・ボルト装置の分解斜視図である。
【図３】図２に示したセキュリティ・ボルト装置の縦断面図である。
【図４】図２に示したセキュリティ・ボルト装置の各部材の正面図及び側面図である。
【発明を実施するための形態】
【００１７】
以下、本発明に係るセキュリティ・ボルト装置と、このセキュリティ・ボルト装置を適用した物品のセキュリティ保管装置の一実施例を、図面を用いて説明する。図１は、本発明に係るセキュリティ・ボルト装置１００を、セキュリティ保管装置２００に使用した例であり、図１(ａ)はその斜視図、図１(ｂ)はその縦断面図である。
【００１８】
図１は、輸送用トラックの荷台を示した図であるが、物品のセキュリティ保管装置２００は輸送用トラックの荷台に限らず、物品管理倉庫等も含まれる。同一のトラックには、複数の物品１１が、物品１１の収容位置２５に収容可能になっている。
【００１９】
物品１１は輸送中においてもセキュリティが要求されるもので、例えば化学薬品や放射性物質等である。そのため、荷台４０の物品収容位置２５を取り囲んで、鋼鉄製のカバー（被覆物）２０で厳重に４個の側面及び上面を囲っている。カバー２０の一面には、カバー２０の内部に形成される物品収容空間３２に作業者がアクセスできるように、ドア２１が設けられている。ドア２１には、ドアノブ２２と鍵穴２３が形成されており、鍵穴にかぎを挿入して解錠してからドア２１をヒンジ２４部で回動させて、作業者の入室を可能にする。なお、この図１では鍵穴としているが、セキュリティをより高めるためには、ディジタル式の施錠装置等も併用または単用可能である。鋼鉄製のカバー２０のベース部３０は、詳細を後述するように、物品収容空間３２側にボルト締結部を有するセキュリティ・ボルト装置１００により、荷台４０に固定されている。
【００２０】
図２ないし図４を用いて、セキュリティ・ボルト装置１００の詳細を説明する。図２は、セキュリティ・ボルト装置１００の一実施例の分解斜視図、図３は、図２に示したセキュリティ・ボルト装置１００の縦断面図である。図４は、図２、３に示したセキュリティ・ボルト装置１００の主要部の正面図及び側面図であり、図４(ａ)は特殊台座１２０の正面断面図及び左右側面図、図４(ｂ)は回転防止金具１４０の正面断面図及び左右両側面図、図４(ｃ)は特殊ボルト１７０の正面図である。
【００２１】
セキュリティ・ボルト装置１００は、特殊ボルト１７０を使用する点が最大の特徴である。図４(ｃ)に示すように、特殊ボルト１７０はＪＩＳ規格のボルト頭１７１を有しており、大径部１７２に形成されるねじと小径部１７４に形成されるねじ間を遷移部１７３で接続する構成となっている。そして、大径部１７２に形成されるねじの方向と小径部１７４に形成されるねじの方向が逆方向になっている。本実施例では大径部１７２のねじを右ねじ、小径部１７４のねじを左ねじとしているが、この組み合わせは逆であってもよい
被覆物３０と輸送用トラックの荷台４０を締結するために、被覆物３０には特殊ボルト１７０が貫通する孔４１が、被覆物３０には孔３１が形成されている。座金１６０を介して特殊ボルト１７０を各孔４１、３１に貫通させ、右ねじのナット１５０で被覆物のベース部３０と荷台４０とを締結する。ここで大径部１７２のねじに螺合するナット１５０もＪＩＳで規格されたねじである。この締結状態は、通常の締結状態である。
【００２２】
ここで本発明では、ボルト頭１７１の側から特殊ボルト１７０を回動させてナット１５０を緩ませるのを防止するため、ナットの回り止め機能を付加している。この機能は、主として特殊台座１２０とこの特殊台座１２０が嵌合する回転防止器具１４０で達成される。
【００２３】
図４(ａ)に示すように、特殊台座１２０は外形が正方形の部材であり、その中央部に段付孔が形成されている。段付孔のなかで小径の孔は、特殊ボルト１７０の小径部１７４が貫通する孔１２１である。一方、段付孔のなかで大径の孔１２２は、特殊ボルト１７０の大径部１７２の端部から小径部１７４の端部までを収容可能なように、大径部１７２に対応する空孔(ボルト孔)となっている。
【００２４】
特殊台座１２０の孔１２２が形成された側と、回転防止金具１４０が接している。つまり特殊台座１２０は、外形が異なる２つの孔を有する部材とみなされ、特殊台座１２０の上面１２５側には小径のナット１１０が当接するための平面が、特殊台座１２０の下面１２６側には特殊金具１４０に対向する面が形成される。
【００２５】
特殊金具１４０は正方形の柱状であり、中央部に異形穴が貫通するように形成されている。一方の孔１４２は、特殊ボルト１７０に螺合するナット１５０の外径形状に応じた孔であり、正六角形状をしている。他方の孔１４１は六角形状孔１４２の最大径と同様の径を有する円孔である。また孔１４１、１４２の間に、ナット１５０の脱落を防止するＣ型止め輪１３０を収容可能なＣ型止め輪用溝１４５が形成されている。これら２個の孔１４１、１４２は、特殊金具１４０の軸方向中間部でＣ型止め輪用溝１４５を介して接続している。特殊金具１４０の円孔１４１が形成された側の表面(上面)は、特殊台座１２０に対向する面であり、六角形孔１４２が形成された側の表面(下面)は、被覆物のベース部３０の表面に当接する。
【００２６】
被覆物のベース部３０とトラックの荷台４０とを特殊ボルト１７０とナット１５０とを用いて締結したら、被覆物２０内に形成される空間３２側から、順に回転防止金具１４０、ばね座金１３０、特殊台座１２０を特殊ボルト１７０に貫挿する。そして、ナット１１０を用いて、特殊ボルトの小径部１７４に形成されたねじと螺合する。ここで、ナット１１０は特殊ボルトの小径部１７２のねじに螺合する左ねじではあるが、その外形形状はＪＩＳで規格されたナットの外形と同一である。
【００２７】
このようにセキュリティ・ボルト装置１００を構成したので、被覆物２０とトラックの荷台４０との締結および特殊台座１２０と回転防止金具１４０の固定保持のためのナット１５０、１１０の回動には、ＪＩＳ規格のスパナを用いることができ、特殊工具を必要としない。また、一旦逆ねじであるナット１１０を締結した後では、特殊ボルト１７０のボルト頭１７１側を左右いずれの方向に回動しても、ナット１５０またはナット１１０が螺合側に回動するので締結力が増すだけとなる。
【００２８】
これにより、トラックの外側からの被覆物２０の取り外しを防止できる。また、被覆物２０は鋼板製であるから、内部に不法にアクセスするためにはドア２１の施錠部２３を破壊するしかなく、施錠部を補強することで不正なアクセスを完全に防止できる。したがって、被覆物内に保持されるセキュリティ部材の盗難を防止できる。
【００２９】
なお本発明においては、セキュリティ・ボルト装置に被締結部材である被覆物及び荷台は含まない。つまり、セキュリティ・ボルト装置では、互いに異なる向きのねじが同一ボルトに形成されていて、このボルトに螺合する一方のねじの回転を抑制する回転防止金具および特殊台座を有することが本発明の主たる特徴である。
【００３０】
上記実施例ではボルト及びナットをＪＩＳ規格に応じた形状としているが、本セキュリティ・ボルト装置を輸出する場合には、各国の規格に応じた形状とすることにより、特殊工具の使用を排除できる。また、上記実施例で用いている特殊台座は、特殊ボルトが大径ねじ部と小径ねじ部を有することにより、小径ねじでの締結力が低下するのを防止するためのものであるから、遷移部よりも長い軸長を必要とする。
【符号の説明】
【００３１】
１１…搬送物、２０…被覆物(鋼鉄製カバー)、２１…ドア、２２…ドアノブ、２３…鍵穴、２４…ヒンジ、２５…収容位置、３０…被覆物のベース部、３２…収容空間、４０…固定物(車両の荷台)、１００…セキュリティ・ボルト装置、１１０…左ねじナット、１２０…特殊台座、１２１…小径孔、１２２…大径穴、１２４…周縁部、１２５…上面、１２６…下面、１３０…Ｃ型止め輪、１４０…回転防止金具、１４１…穴部、１４２…ナット嵌合部、１４３…上面、１４４…下面、１４５…Ｃ型止め輪用溝、１５０…(右ねじ)ナット、１６０…平座金、１７０…特殊ボルト、１７１…六角ボルト頭部、１７２…右ねじ部(大径部)、１７３…遷移部、１７４…左ねじ部(小径部)、２００…セキュリティ保管装置。
【図１】
2014149063.tif 000003
【図２】
2014149063.tif 000004
【図３】
2014149063.tif 000005
【図４】
2014149063.tif 000006